(57)【要約】【課題】係止ランスによる端子の係止を向上することができると共に、端子収容室内における端子の支持安定性を向上することができるコネクタを提供する。【解決手段】端子３を収容しこの端子３の接続部５側が開口された端子収容室７と、この端子収容室７の開口９側に設けられ端子３の下面１１側を支持する端子支持部１３と、端子収容室７内に撓み可能に設けられ端子３に係止される係止ランス１５とを備えたコネクタ１において、端子３に、端子支持部１３に支持された状態で端子支持部１３より下方に突出する被係合突部１７を全幅に亘って設け、係止ランス１５を端子支持部１３より下方に位置させ、係止ランス１５に被係合突部１７と係合する係合部１９を設け、係合部１９を、端子３の全幅に亘って設けた。【選択図】図２
2012199190.tif 000002
【特許請求の範囲】
【請求項１】
端子を収容しこの端子の接続部側が開口された端子収容室と、この端子収容室の開口側に設けられ前記端子の下面側を支持する端子支持部と、前記端子収容室内に撓み可能に設けられ前記端子に係止される係止ランスとを備えたコネクタであって、
前記端子には、前記端子支持部に支持された状態で前記端子支持部より下方に突出する被係合突部が全幅に亘って設けられ、前記係止ランスは、前記端子支持部より下方に位置され前記被係合突部と係合する係合部が設けられ、前記係合部は、前記端子の全幅に亘って設けられていることを特徴とするコネクタ。
【請求項２】
請求項１記載のコネクタであって、
前記端子支持部は、前記端子収容室の全幅に亘って設けられていることを特徴とするコネクタ。
【発明の詳細な説明】
【技術分野】
【０００１】
本発明は、コネクタに関する。
【背景技術】
【０００２】
従来、コネクタに収容される端子としては、コネクタハウジング内の端子収容室からの後抜け防止用のターミナルランスが設けられ、このターミナルランスが、端子の接続部の幅方向に折り曲げられた折り返し部を備え、全幅に亘って外側方向に所定角度折り曲げ形成されたものが知られている（例えば、特許文献１参照）。
【０００３】
この端子は、コネクタハウジングの端子収容室内に挿入されると、ターミナルランスが天井壁によって下方に撓まされ、所定位置に位置したときに、ターミナルランスが上方に復元し、ターミナルランスの後端が天井壁に設けられた係止段部と係合することによって、端子の端子収容室からの抜けが防止される。
【０００４】
このようなターミナルランスと係止段部との係止構造において、ターミナルランスが全幅に亘って形成されているので、端子を端子収容室内で安定的に係止することができると共に、端子の端子収容室からの抜けを確実に防止することができる。
【先行技術文献】
【特許文献】
【０００５】
【特許文献１】特開２００２−２８０１０６号公報
【発明の概要】
【発明が解決しようとする課題】
【０００６】
しかしながら、上記のような係止構造では、端子に係止ランスとしてのターミナルランスが設けられているので、係止ランスが剛性を有しており、端子収容室内への端子挿入力が増大していた。また、端子を端子収容室から取り出す際には、解除治具などによって導通部材である端子の係止ランスを撓ませなければならず、作業を慎重に行うなど作業性が低下してしまう。
【０００７】
これに対してコネクタに係止ランスが設けられている構造では、端子にランスホールなどの穴部からなる被係合部が設けられ、係止ランスに端子の被係合部に係合される係合突部が設けられている。また、コネクタには、端子収容室の両側壁に端子の接続部側の幅方向両側の下面側を支持する一対の端子支持部が設けられており、一対の支持部間に係止ランスが撓み可能に設けられている。
【０００８】
このようなコネクタでは、係止ランスの係合突部が幅方向の両側に位置する一対の支持部によって規制を受けるので、係合突部を端子の全幅に亘って設けることができなかった。また、係合突部を端子の全幅に亘って設けるために、一対の支持部の張り出しを減少させてしまうと、端子収容室内における端子の支持が不安定になってしまう。
【０００９】
そこで、この発明は、係止ランスによる端子の係止を向上することができると共に、端子収容室内における端子の支持安定性を向上することができるコネクタの提供を目的としている。
【課題を解決するための手段】
【００１０】
請求項１記載の発明は、端子を収容しこの端子の接続部側が開口された端子収容室と、この端子収容室の開口側に設けられ前記端子の下面側を支持する端子支持部と、前記端子収容室内に撓み可能に設けられ前記端子に係止される係止ランスとを備えたコネクタであって、前記端子には、前記端子支持部に支持された状態で前記端子支持部より下方に突出する被係合突部が全幅に亘って設けられ、前記係止ランスは、前記端子支持部より下方に位置され前記被係合突部と係合する係合部が設けられ、前記係合部は、前記端子の全幅に亘って設けられていることを特徴とする。
【００１１】
このコネクタでは、端子支持部に支持された状態で端子支持部より下方に突出する被係合突部が端子の全幅に亘って設けられ、係止ランスが端子支持部より下方に位置され被係合突部と係合する係合部が係止ランスに設けられているので、端子支持部による端子の支持と係止ランスによる端子の係止とを独立して設定することができる。このため、端子支持部の設計の自由度が向上し、端子収容室内における端子の支持安定性を向上することができる。
【００１２】
また、係止ランスの係合部は、端子の全幅に亘って設けられているので、端子の被係合突部と係止ランスの係合部との係合を広い範囲で行うことができ、端子の端子収容室からの抜けを確実に防止することができる。
【００１３】
従って、このようなコネクタでは、係止ランスによる端子の係止を向上することができると共に、端子収容室内における端子の支持安定性を向上することができる。
【００１４】
請求項２記載の発明は、請求項１記載のコネクタであって、前記端子支持部は、前記端子収容室の全幅に亘って設けられていることを特徴とする。
【００１５】
このコネクタでは、端子支持部が端子収容室の全幅に亘って設けられているので、端子が端子収容室内で移動されたとしても、端子支持部によって端子を支持することができ、端子収容室内における端子の支持安定性をさらに向上することができる。
【発明の効果】
【００１６】
本発明によれば、係止ランスによる端子の係止を向上することができると共に、端子収容室内における端子の支持安定性を向上することができるコネクタを提供することができるという効果を奏する。
【図面の簡単な説明】
【００１７】
【図１】本発明の実施の形態に係るコネクタの端子の斜視図である。
【図２】本発明の実施の形態に係るコネクタの断面図である。
【図３】（ａ）は本発明の実施の形態に係るコネクタの断面図である。（ｂ）は本発明の実施の形態に係るコネクタの正面図である。
【発明を実施するための形態】
【００１８】
図１〜図３を用いて本発明の実施の形態に係るコネクタについて説明する。
【００１９】
本実施の形態に係るコネクタ１は、端子３を収容しこの端子３の接続部５側が開口された端子収容室７と、この端子収容室７の開口９側に設けられ端子３の下面１１側を支持する端子支持部１３と、端子収容室７内に撓み可能に設けられ端子３に係止される係止ランス１５とを備えている。
【００２０】
そして、端子３には、端子支持部１３に支持された状態で端子支持部１３より下方に突出する被係合突部１７が全幅に亘って設けられ、係止ランス１５は、端子支持部１３より下方に位置され被係合突部１７と係合する係合部１９が設けられ、係合部１９は、端子３の全幅に亘って設けられている。
【００２１】
また、端子支持部１３は、端子収容室７の全幅に亘って設けられている。
【００２２】
図１に示すように、端子３は、導電性材料からなり、接続部５と電線固定部２１と被係合突部１７とを備えている。接続部５は、内部に弾性変形可能なバネ２３（図２参照）を有している。この接続部５には、相手端子（不図示）のタブなどの接続部が挿入されてバネ２３と弾性的に接触され、端子３と相手端子とが電気的に接続される。
【００２３】
電線固定部２１は、被覆電線（不図示）の芯線が導通して加締められる芯線固定部２５と、被覆電線の被覆部を加締めて被覆電線を固定する被覆固定部２７とを有する。この電線固定部２１に被覆電線が固定されることにより、被覆電線に接続された電子部品（不図示）などと端子３とが電気的に接続される。
【００２４】
被係合突部１７は、接続部５側に全幅に亘って設けられている。この被係合突部１７の突出長さは、図２に示すように、端子３が端子収容室７に収容された状態で、端子支持部１３よりも下方に位置するように設定されている。このような端子３は、端子収容室７に収容される。
【００２５】
図２，図３に示すように、端子収容室７は、ハウジング２９の長さ方向に延設されており、挿入口３１側から端子３が挿入され、開口９側に端子３の接続部５側が配置される。このように端子収容室７に端子３を収容することによって、ハウジング２９を相手ハウジング（不図示）と嵌合することにより、開口９側の接続部挿入口３３から相手端子のタブなどの接続部が挿通され、端子３の接続部５と相手端子とが接続される。このような端子収容室７に収容された端子３の接続部５側は、端子支持部１３によって支持される。
【００２６】
端子支持部１３は、端子収容室７の全幅に亘って両側壁３５，３７からハウジング２９と連続する一部材として設けられると共に、開口９側から長さ方向に端子３の被係合突部１７が位置する部分まで延設されている。この端子支持部１３は、端子収容室７内に端子３が収容された状態で、端子３の接続部５側の下面１１側を支持する。このような端子支持部１３の下方には、係止ランス１５が設けられている。
【００２７】
係止ランス１５は、下面３９と端子収容室７の内壁面４１との間に形成された可撓空間４３に撓み可能に設けられている。この係止ランス１５は、端子支持部１３よりも下方に位置され、挿入口３１側から端子収容室７内に端子３が収容されたときに、傾斜面４５が端子３の被係合突部１７と当接することによって下方に撓まされる。この状態から端子３を開口９側に向けて挿入し、端子３の接続部５側の下面１１側が端子支持部１３によって支持されたときに、係止ランス１５が上方に復元する。このとき、端子３の被係合突部１７に係合される係合部１９が係止ランス１５に設けられている。
【００２８】
係合部１９は、係止ランス１５において、端子３の被係合突部１７の全幅と係合するように端子３の全幅に亘って設けられている。この係合部１９は、端子３を端子収容室７内に収容した際に、係止ランス１５の上方への復元によって端子３の被係合突部１７と係合され、端子３が端子収容室７から抜けることを防止する。
【００２９】
なお、係止ランス１５の係合部１９と端子３の被係合突部１７との係合は、開口９側に設けられた治具挿入口４７から解除治具（不図示）を挿入し、係止ランス１５の先端部に解除治具を当接して係止ランス１５を下方に撓ませることによって解除され、端子収容室７から端子３を取り出すことができる。また、端子収容室７内への端子３の収容後には、治具挿入口４７からスペーサなどの規制部材（不図示）が挿入されて可撓空間４３に配置され、係止ランス１５の下方への撓みが規制され、被係合突部１７と係合部１９との係合が解除されることが防止される。
【００３０】
このようなコネクタ１では、端子支持部１３に支持された状態で端子支持部１３より下方に突出する被係合突部１７が端子３の全幅に亘って設けられ、係止ランス１５が端子支持部１３より下方に位置され被係合突部１７と係合する係合部１９が係止ランス１５に設けられているので、端子支持部１３による端子３の支持と係止ランス１５による端子３の係止とを独立して設定することができる。このため、端子支持部１３の設計の自由度が向上し、端子収容室７内における端子３の支持安定性を向上することができる。
【００３１】
また、係止ランス１５の係合部１９は、端子３の全幅に亘って設けられているので、端子３の被係合突部１７と係止ランス１５の係合部１９との係合を広い範囲で行うことができ、端子３の端子収容室７からの抜けを確実に防止することができる。
【００３２】
従って、このようなコネクタ１では、係止ランス１５による端子の係止を向上することができると共に、端子収容室７内における端子３の支持安定性を向上することができる。
【００３３】
また、端子支持部１３は、端子収容室７の全幅に亘って設けられているので、端子３が端子収容室７内で移動されたとしても、端子支持部１３によって端子３を支持することができ、端子収容室７内における端子３の支持安定性をさらに向上することができる。
【００３４】
なお、本発明の実施の形態に係るコネクタでは、ハウジングに端子収容室が１室だけ設けられた構成となっているが、これに限らず、ハウジングに端子収容室が複数設けられている構成においても本発明の構成を適用することができる。
【符号の説明】
【００３５】
１…コネクタ
３…端子
５…接続部
７…端子収容室
９…開口
１１…端子の下面
１３…端子支持部
１５…係止ランス
１７…被係合突部
１９…係合部
【図１】
2012199190.tif 000003
【図２】
2012199190.tif 000004
【図３】
2012199190.tif 000005